(57)【要約】【課題】簡易かつ安価な構成によって、海苔網に連結された綱類を薬剤処理の際にスムーズかつ安定的に通過させることができる綱類通過装置、綱類通過装置を備えた海苔網薬剤処理装置および綱類通過装置を備えた海苔作業船を提供すること。【解決手段】薬剤処理の際に、海苔網５に連結された海苔網展張用の綱類２１ａ，２１ｂを、船体に固定された一対の綱類通過部材１９，２０のそれぞれの内側端部に摺接させつつ通過させること。【選択図】図１
2008011742.tif 000002
【特許請求の範囲】
【請求項１】
海苔網に薬剤処理を施すための薬剤処理槽が形成された海苔作業船の上部における左右の両舷側の近傍にそれぞれ固定され、前記薬剤処理の際に、前記海苔網に連結された互いに異なる海苔網展張用の綱類を、船幅方向における内側にそれぞれ摺接させつつ船首側から前記薬剤処理槽を経て船尾側に通過させるように形成された一対の綱類通過部材であって、一方の綱類通過部材における前記網類を摺接させる内側端部と、他方の綱類通過部材における前記綱類を摺接させる内側端部との間の前記船幅方向の間隔が、船首側から薬剤処理槽側に向かうにしたがって狭くなり、かつ、薬剤処理槽側から船尾側に向かうにしたがって広くなるような形状に形成され、さらに、前記海苔網が前記内側端部の下方を通るように形成された一対の綱類通過部材を有すること
を特徴とする綱類通過装置。
【請求項２】
前記一方の綱類通過部材における前記内側端部と前記他方の綱類通過部材における前記内側端部との間の前記船幅方向の間隔のうちの少なくとも前記薬剤処理槽に対応する範囲における間隔が、前記海苔網に装着された伸子棒の幅よりも狭く形成されていることを特徴とする請求項１に記載の綱類通過装置。
【請求項３】
前記内側端部が、船首側から薬剤処理槽側に向かうにしたがって前記船幅方向における内側に傾く形状に形成された第１の内側端部と、この第１の内側端部に、前記薬剤処理槽における船首側の部位に対応する位置において連なり、船体全長方向に平行な形状に形成された第２の内側端部と、この第２の内側端部に、前記薬剤処理槽における船尾側の部位に対応する位置において連なり、薬剤処理槽側から船尾側に向かうにしたがって前記船幅方向における外側に傾く形状に形成された第３の内側端部とによって形成されていること
を特徴とする請求項１または請求項２に記載の綱類通過装置。
【請求項４】
海苔作業船の上部に形成された薬剤処理槽を有し、この薬剤処理槽に貯留された薬剤の処理液中に、前記海苔作業船上に掬い上げられた海苔網を浸漬させることによって、前記海苔網に薬剤処理を施す海苔網薬剤処理装置において、
前記海苔作業船の上部における左右の両舷側の近傍にそれぞれ固定され、前記薬剤処理の際に、前記海苔網に連結された互いに異なる海苔網展張用の綱類を、船幅方向における内側にそれぞれ摺接させつつ船首側から前記薬剤処理槽を経て船尾側に通過させるように形成された一対の綱類通過部材であって、一方の綱類通過部材における前記網類を摺接させる内側端部と、他方の綱類通過部材における前記綱類を摺接させる内側端部との間の前記船幅方向の間隔が、船首側から薬剤処理槽側に向かうにしたがって狭くなり、かつ、薬剤処理槽側から船尾側に向かうにしたがって広くなるような形状に形成され、さらに、前記海苔網が前記内側端部の下方を通るように形成された一対の綱類通過部材を有する綱類通過装置を備えたこと
を特徴とする海苔網薬剤処理装置。
【請求項５】
前記綱類が、海中に立設された支柱に前記海苔網を吊すための吊り綱とされ、かつ、前記綱類通過部材における前記内側端部に摺接しつつ前記海苔網を前記薬剤の処理液中に浸漬させることが可能な長さに形成されていること
を特徴とする請求項４に記載の海苔網薬剤処理装置。
【請求項６】
前記海苔網における薬剤処理方向の端部が、この端部に臨む側綱と連結手段を介して連結されており、前記薬剤処理の際に、前記側綱が、前記連結手段を介して前記海苔網との連結状態を保持しつつ前記一対の綱類通過部材の上部を通るように形成されていること
を特徴とする請求項４または請求項５に記載の海苔網薬剤処理装置。
【請求項７】
船体上部に、海苔網に薬剤処理を施すための薬剤処理槽が形成された海苔作業船において、
船体上部における左右の両舷側の近傍にそれぞれ固定され、前記薬剤処理の際に、前記海苔網に連結された互いに異なる海苔網展張用の綱類を、船幅方向における内側にそれぞれ摺接させつつ船首側から前記薬剤処理槽を経て船尾側に通過させるように形成された一対の綱類通過部材であって、一方の綱類通過部材における前記網類を摺接させる内側端部と、他方の綱類通過部材における前記綱類を摺接させる内側端部との間の前記船幅方向の間隔が、船首側から薬剤処理槽側に向かうにしたがって狭くなり、かつ、薬剤処理槽側から船尾側に向かうにしたがって広くなるような形状に形成され、さらに、前記海苔網が前記内側端部の下方を通るように形成された一対の綱類通過部材を有する綱類通過装置を備えたこと
を特徴とする海苔作業船。
【発明の詳細な説明】
【技術分野】
【０００１】
本発明は、綱類通過装置、綱類通過装置を備えた海苔網薬剤処理装置および綱類通過装置を備えた海苔作業船に係り、特に、海苔の養殖場に展張されている海苔網を海苔作業船上に掬い上げて各種の薬剤処理を施すのに好適な綱類通過装置、綱類通過装置を備えた海苔網薬剤処理装置および綱類通過装置を備えた海苔作業船に関する。
【背景技術】
【０００２】
一般に、海苔の養殖は、海苔網に浮子を取付けて海面部分に浮かすようにして展張して錨で止める浮き流し方式や、海中に立設した支柱に海苔網を係留して展張した支柱方式により行なわれている。この両方式の使い分けは、養殖場の立地条件により決定されている。
【０００３】
前記支柱方式を採用している海苔の養殖場は、支柱を立てることのできる海岸に近く、水深の浅いところであり、海の干潮時に海苔網が海面から離間して、日中には天日により海苔に付着した雑菌の殺菌効果が大きく、海苔の養殖には望ましい方法である。
【０００４】
このような海苔の養殖においては、海苔網および海苔網に繁殖する海苔の表面に、海水の水垢やゴミ等の浮遊物が付着したり、雑菌が繁殖したりするなど、海苔の品質を低下させる要因があった。
【０００５】
そこで、従来から、海苔の養殖においては、高品質で健康な海苔を育成し、収穫率を向上させる観点から、海苔の刈り取りから刈り取りの間の期間に、二回から三回程度、海苔網および海苔網に繁殖した海苔に対して、酸処理に代表される各種の薬剤を用いた薬剤処理を施すことが行われていた。このような薬剤処理は、海苔の刈り取り後における海苔網に対しても施されていた。
【０００６】
このような薬剤処理に際しては、海苔作業船における甲板が形成された船体上部に薬剤処理槽を設け、この薬剤処理槽内に、各種の薬剤からなる処理液を貯留させた状態において、海面に展張されている海苔網に対して海苔作業船を自走させるとともに、海苔作業船の船首に設けられた案内部材（例えば、特許文献１における符号Ｅを参照）を用いることによって、海苔網を海苔作業船上に掬い上げるようになっていた。そして、海苔網を海苔作業船上に掬い上げた後にも、さらに海苔作業船の自走を続けることによって、海苔作業船上に掬い上げられた海苔網を薬剤処理槽に導き、この薬剤処理槽に貯留された処理液中に浸漬させることによって薬剤処理を施すようになっていた。そして、薬剤処理を施した後の海苔網は、海苔作業船のさらなる自走によって薬剤処理槽を通過して船尾側に移動し、船尾から海面に戻ることによって再び海面に展張されるようになっていた。
【０００７】
このような薬剤処理の際には、海苔網にともなって、海苔網に連結された吊り綱が、海苔作業船上における左右の舷側の近傍を通過することになる。
【０００８】
このとき、薬剤処理を適切に行うには、海苔網とともに吊り綱が海苔作業船上をスムーズに通過することが必要となる。そこで、本出願人は、これまでにも、吊り綱等の綱類が海苔作業船上をスムーズに通過するようにすることができる特許文献１に記載の綱類通過装置を提案している。
【０００９】
この特許文献１に記載の綱類通過装置によれば、下方部材と、この下方部材上に接離自在にして載置されている上方部材と、上方部材を下方部材に対して一定位置に保持する上方部材保持機構とを有することによって、上方部材と下方部材との間を通過する綱類が、上方部材を持ち上げるようにして船尾側へスムーズに通過することが可能とされていた。
【００１０】
【特許文献１】特開平１０−１５０８８４号公報
【発明の開示】
【発明が解決しようとする課題】
【００１１】
さらに、この種の綱類通過装置には、より簡易かつ安価な構成によって、綱類による海苔作業船上の通過をスムーズかつ安定的に行わせることが求められるようになった。
【００１２】
そこで、本発明は、このような点に鑑みなされたものであり、簡易かつ安価な構成によって、海苔網の薬剤処理の際における海苔網に連結された綱類による海苔作業船上の通過をスムーズかつ安定的に行わせることができる綱類通過装置、綱類通過装置を備えた海苔網薬剤処理装置および綱類通過装置を備えた海苔作業船を提供することを目的とするものである。
【課題を解決するための手段】
【００１３】
前述した目的を達成するため、本発明の請求項1に係る綱類通過装置は、海苔網に薬剤処理を施すための薬剤処理槽が形成された海苔作業船の上部における左右の両舷側の近傍にそれぞれ固定され、前記薬剤処理の際に、前記海苔網に連結された互いに異なる海苔網展張用の綱類を、船幅方向における内側にそれぞれ摺接させつつ船首側から前記薬剤処理槽を経て船尾側に通過させるように形成された一対の綱類通過部材であって、一方の綱類通過部材における前記網類を摺接させる内側端部と、他方の綱類通過部材における前記綱類を摺接させる内側端部との間の前記船幅方向の間隔が、船首側から薬剤処理槽側に向かうにしたがって狭くなり、かつ、薬剤処理槽側から船尾側に向かうにしたがって広くなるような形状に形成され、さらに、前記海苔網が前記内側端部の下方を通るように形成された一対の綱類通過部材を有することを特徴としている。そして、このような構成によれば、薬剤処理の際に、海苔網に連結された海苔網展張用の綱類を、船体に固定された一対の綱類通過部材のそれぞれの内側端部に摺接させつつ海苔作業船上を通過させることが可能となる。
【００１４】
また、請求項２に係る綱類通過装置は、請求項１において、前記一方の綱類通過部材における前記内側端部と前記他方の綱類通過部材における前記内側端部との間の前記船幅方向の間隔のうちの少なくとも前記薬剤処理槽に対応する範囲における間隔が、前記海苔網に装着された伸子棒の幅よりも狭く形成されていることを特徴としている。そして、このような構成によれば、一対の綱類通過部材における両綱類通過部材間の船幅方向の間隔が伸子棒の幅よりも狭く形成された部位を、薬剤処理槽における海苔網に対する上方からの押さえとして機能させることが可能となる。
【００１５】
さらに、請求項３に係る綱類通過装置は、請求項１または請求項２において、前記内側端部が、船首側から薬剤処理槽側に向かうにしたがって前記船幅方向における内側に傾く形状に形成された第１の内側端部と、この第１の内側端部に、前記薬剤処理槽における船首側の部位に対応する位置において連なり、船体全長方向に平行な形状に形成された第２の内側端部と、この第２の内側端部に、前記薬剤処理槽における船尾側の部位に対応する位置において連なり、薬剤処理槽側から船尾側に向かうにしたがって前記船幅方向における外側に傾く形状に形成された第３の内側端部とによって形成されていることを特徴としている。そして、このような構成によれば、第１の内側端部によって、船首側から薬剤処理槽に向かう海苔網に連結された綱類の通過を確保し、第２の内側端部によって、薬剤処理中の海苔網に連結され綱類の通過を確保し、第３の内側端部によって、薬剤処理後に船尾側に向かう海苔網に連結された綱類の通過を確保することが可能となる。
【００１６】
さらにまた、請求項４に係る海苔網薬剤処理装置は、海苔作業船の上部に形成された薬剤処理槽を有し、この薬剤処理槽に貯留された薬剤の処理液中に、前記海苔作業船上に掬い上げられた海苔網を浸漬させることによって、前記海苔網に薬剤処理を施す海苔網薬剤処理装置において、前記海苔作業船の上部における左右の両舷側の近傍にそれぞれ固定され、前記薬剤処理の際に、前記海苔網に連結された互いに異なる海苔網展張用の綱類を、船幅方向における内側にそれぞれ摺接させつつ船首側から前記薬剤処理槽を経て船尾側に通過させるように形成された一対の綱類通過部材であって、一方の綱類通過部材における前記網類を摺接させる内側端部と、他方の綱類通過部材における前記綱類を摺接させる内側端部との間の前記船幅方向の間隔が、船首側から薬剤処理槽側に向かうにしたがって狭くなり、かつ、薬剤処理槽側から船尾側に向かうにしたがって広くなるような形状に形成され、さらに、前記海苔網が前記内側端部の下方を通るように形成された一対の綱類通過部材を有する綱類通過装置を備えたことを特徴としている。そして、このような構成によれば、薬剤処理の際に、海苔網に連結された海苔網展張用の綱類を、船体に固定された一対の綱類通過部材のそれぞれの内側端部に摺接させつつ海苔作業船上を通過させることが可能となる。
【００１７】
また、請求項５に係る海苔網薬剤処理装置は、請求項４において、前記綱類が、海中に立設された支柱に前記海苔網を吊すための吊り綱とされ、かつ、前記綱類通過部材における前記内側端部に摺接しつつ前記海苔網を前記薬剤の処理液中に浸漬させることが可能な長さに形成されていることを特徴としている。そして、このような構成によれば、吊り綱に連結された海苔網の薬剤処理の際に、吊り綱を綱類通過部材における内側端部に摺接させつつ海苔作業船上を通過させながら、海苔網を薬剤の処理液中に確実に浸漬させることが可能となる。
【００１８】
さらに、請求項６に係る海苔網薬剤処理装置は、請求項４または請求項５において、前記海苔網における薬剤処理方向の端部が、この端部に臨む側綱と連結手段を介して連結されており、前記薬剤処理の際に、前記側綱が、前記連結手段を介して前記海苔網との連結状態を保持しつつ前記一対の綱類通過部材の上部を通るように形成されていることを特徴としている。そして、このような構成によれば、海苔網を海面における所定の位置に安定的に保持することが可能となる。
【００１９】
さらにまた、請求項７に係る海苔作業船は、船体上部に、海苔網に薬剤処理を施すための薬剤処理槽が形成された海苔作業船において、船体上部における左右の両舷側の近傍にそれぞれ固定され、前記薬剤処理の際に、前記海苔網に連結された互いに異なる海苔網展張用の綱類を、船幅方向における内側にそれぞれ摺接させつつ船首側から前記薬剤処理槽を経て船尾側に通過させるように形成された一対の綱類通過部材であって、一方の綱類通過部材における前記網類を摺接させる内側端部と、他方の綱類通過部材における前記綱類を摺接させる内側端部との間の前記船幅方向の間隔が、船首側から薬剤処理槽側に向かうにしたがって狭くなり、かつ、薬剤処理槽側から船尾側に向かうにしたがって広くなるような形状に形成され、さらに、前記海苔網が前記内側端部の下方を通るように形成された一対の綱類通過部材を有する綱類通過装置を備えたことを特徴としている。そして、このような構成によれば、薬剤処理の際に、海苔網に連結された海苔網展張用の綱類を、船体に固定された一対の綱類通過部材のそれぞれの内側端部に摺接させつつ通過させることが可能となる。
【発明の効果】
【００２０】
本発明の請求項1に係る綱類通過装置によれば、薬剤処理の際に、海苔網に連結された海苔網展張用の綱類を、船体に固定された一対の綱類通過部材のそれぞれの内側端部に摺接させつつ通過させることができるので、海苔網の薬剤処理の際に、海苔網に連結された綱類による海苔作業船上の通過を、簡易かつ安価な構成によってスムーズかつ安定的に行わせることができる。
【００２１】
また、請求項２に係る綱類通過装置によれば、一対の綱類通過部材における両部材間の船幅方向の間隔が伸子棒の幅よりも狭く形成された部位を、薬剤処理槽における海苔網に対する上方からの押さえとして機能させることができるので、請求項1に係る綱類通過装置の効果に加えて、さらに、薬剤処理をより安定的に行うことができる。
【００２２】
さらに、請求項３に係る綱類通過装置によれば、第１の内側端部によって、船首側から薬剤処理槽に向かう海苔網に連結された綱類の通過を確保し、第２の内側端部によって、薬剤処理中の海苔網に連結され綱類の通過を確保し、第３の内側端部によって、薬剤処理後に船尾側に向かう海苔網に連結された綱類の通過を確保することができるので、請求項１または請求項２に係る綱類通過装置の効果に加えて、さらに、薬剤処理の際に綱類をより適正に通過させることができる。
【００２３】
さらにまた、請求項４に係る海苔網薬剤処理装置によれば、簡易かつ安価な構成によって、海苔網に連結された綱類をスムーズかつ安定的に通過させながら薬剤処理を行うことができる。
【００２４】
また、請求項５に係る海苔網薬剤処理装置によれば、支柱方式の海苔の養殖場における海苔網の薬剤処理を、簡易な構成によって円滑かつ安定的に行うことができる。
【００２５】
さらに、請求項６に係る海苔網薬剤処理装置によれば、海苔網を海面における所定の位置に安定的に保持することができるので、支柱に係留された海苔網を海苔作業船上に適切に掬い上げて薬剤処理を確実に行うことができる。
【００２６】
さらにまた、請求項７に係る海苔作業船によれば、薬剤処理の際に、簡易かつ安価な構成によって、海苔網に連結された綱類をスムーズかつ安定的に通過させることができる。
【発明を実施するための最良の形態】
【００２７】
以下、本発明の実施形態について、図１乃至図１１を参照して説明する。
【００２８】
図１乃至図３は、本発明に係る海苔作業船の実施形態を示したものである。図１および図２に示すように、本実施形態の海苔作業船１における甲板が形成された船体上部における船尾側には、作業者が搭乗して操舵を行う操舵室２が配設されている。
【００２９】
また、海苔作業船１の船尾には、スクリュ等の図示しない推進装置が配設されており、この推進装置によって海苔作業船１が海上を自走可能とされている。
【００３０】
操舵室２に対して船首側の近傍位置には、薬剤処理槽としての酸処理槽３が形成されており、この酸処理槽３には、薬剤の処理液としての酸処理液が貯留されるようになっている。
【００３１】
そして、この酸処理槽３においては、酸処理液が貯留された状態において、図４および図５に示す海苔網５の設置構造６によって海面に展張された海苔網５を海苔作業船１上への掬い上げ後に浸漬させることによって、当該海苔網５に対する酸処理が行われるようになっている。海苔網５およびその設置構造６の詳細については後述する。
【００３２】
図１に戻って、船体上部における船首側には、掬い上げ部材７が配設されており、この掬い上げ部材７は、平面略Ｕ字形状の外枠部９と、この外枠部９の内側に、船幅方向に所定の間隔を設けて形成された船体全長方向に長尺な二本の第１案内部１０と、外枠部９の内側に形成された第１案内部１０を横断する二本の横断部１１とによって形成されている。
【００３３】
掬い上げ部材７は、使用状態において先端部が海中に没するようになっており、この海中に没した先端部を海苔網５の下に潜り込ませつつ海苔作業船１を海苔網５側に自走させることによって、海苔網５を掬い上げるようになっている。また、この掬い上げ部材７は、ヒンジ部１２に回動自在に支持されており、このヒンジ部１２を支点とした回動動作によって、先端部を、海中に没する位置から船体上に退避させることが可能とされている。この掬い上げ部材７の回動動作は、図示しないモータの駆動力を用いて行うようにしてもよい。また、掬い上げ部材７は、回動自在に支持されているものに限る必要はなく、例えば、ワイヤの繰り出し動作および巻き上げ動作によって、前後に進退可能に保持されているものであってもよい。
【００３４】
第１案内部１０は、海中から掬い上げられた海苔網５を下方から保持するようになっているとともに、この海苔網５を保持した状態における海苔作業船１の自走にともなって、海苔網５を船首側から酸処理槽３側へと案内するようになっている。なお、第１案内部１０は、海苔網５に装着された伸子棒１４に直交する平面形状を有しているため、この第１案内部１０への伸子棒１４の引っ掛かりを防止して海苔網５を酸処理槽３側へと適正に案内することができるようになっている。
【００３５】
船体上部における酸処理槽３に対して船首側の位置には、平面上において第１案内部１０と同一線上に位置する二本の第２案内部１５が配設されており、これら第２案内部１５上には、海苔作業船１の自走にともなって、第１案内部１０を通過した後の海苔網５が移動するようになっている。そして、第２案内部１５は、第１案内部１０を通過した後の海苔網５を下方から保持するとともに、この海苔網５を保持した状態における海苔作業船１の自走にともなって、海苔網５をさらに酸処理槽３側へと案内するようになっている。なお、第２案内部１５も、伸子棒１４に直交する平面形状を有しているため、この第２案内部１５への伸子棒１４の引っ掛かりを防止して海苔網５を適正に案内することができるようになっている。
【００３６】
そして、船体上部には、本実施形態における綱類通過装置１７が配設されており、この綱類通過装置１７は、酸処理槽３とともに、本発明に係る薬剤処理装置としての酸処理装置を構成している。
【００３７】
綱類通過装置１７は、船体上部における左右の両舷側の近傍にそれぞれ固定された右舷側綱類通過部材１９および左舷側綱類通過部材２０からなる一対の綱類通過部材１９，２０を有しており、これら一対の綱類通過部材１９，２０は、左右対称形状に形成されている。
【００３８】
両綱類通過部材１９，２０は、酸処理の際に、海苔網５における伸子棒１４の長手方向の両端部に連結された海苔展張用の綱類としての互いに異なる吊り綱２１ａ，２１ｂを、船幅方向における内側にそれぞれ摺接させつつ船首側から酸処理槽３を経て船尾側に通過させるようになっている。
【００３９】
より具体的には、両綱類通過部材１９，２０は、船首側から船尾側に向かって順に、第１摺接部２３、第２摺接部２４および第３摺接部２５の横断面円形状の棒状の３つの摺接部２３，２４，２５を有している。
【００４０】
第１摺接部２３は、船首側から酸処理槽３における船首側の部位に対応する（上方から臨む）位置にわたって形成されいるとともに、図１に示すように、その平面形状が、船首側から酸処理槽３側に向かうにしたがって船幅方向における内側に傾く直線形状に形成され、また、図２に示すように、その側面形状が、鉛直上方に湾曲した曲線形状に形成されている。さらに、第１摺接部２３の外周面における船幅方向の内側の部位は、綱類通過部材１９，２０における第１の内側端部２７とされており、この第１の内側端部２７には、海苔網５に連結された吊り綱２１ａ，２１ｂが、最初に摺接するようになっている。
【００４１】
また、第２摺接部２４は、第１摺接部２３における酸処理槽３側の端部に、酸処理槽３における船首側の部位に対応する位置において連設されているとともに、この位置から酸処理槽３における船尾側の部位に対応する（上方から臨む）位置にわたって形成されている。また、第２摺接部２４は、船体全長方向に平行かつ水平な直線形状に形成されている。第２摺接部２４の外周面における船幅方向の内側の部位は、綱類通過部材１９，２０における第２の内側端部２８とされており、この第２の内側端部２８には、第１の内側端部２７に摺接しつつ第１の内側端部２７を通過した後の吊り綱２１ａ，２１ｂが摺接するようになっている。
【００４２】
さらに、第３摺接部２５は、第２摺接部２４における船尾側の端部に、酸処理槽３における船尾側の部位に対応する位置において連設されているとともに、この位置から操舵室２の近傍位置にわたって形成されている。また、第３摺接部２５は、酸処理槽３側から船尾側に向かうにしたがって船幅方向における外側かつ鉛直上方に傾く直線形状に形成されている。第３摺接部２５の外周面における船幅方向の内側の部位は、綱類通過部材１９，２０における第３の内側端部２９とされており、この第３の内側端部２９には、第２の内側端部２８に摺接しつつ第２の内側端部２８を通過した後の吊り綱２１ａ，２１ｂが摺接するようになっている。
【００４３】
さらにまた、このような各摺接部２３，２４，２５の形状により、右舷側綱類通過部材１９の内側端部２７，２８，２９と、左舷側綱類通過部材２０の内側端部２７，２８，２９との間の船幅方向の間隔は、船首側から酸処理槽３側に向かうにしたがって狭くなり、かつ、酸処理槽３側から船尾側に向かうにしたがって広くなっている。
【００４４】
また、吊り綱２１ａ，２１ｂが綱類通過部材１９，２０における内側端部２７，２８，２９に摺接しつつ海苔作業船１上を通過する際に、吊り綱２１ａ，２１ｂに連結された海苔網５は、内側端部２７，２８，２９の下方すなわち綱類通過部材１９，２０の下方を通るようになっている。
【００４５】
さらに、本実施形態において、右舷側綱類通過部材１９における内側端部２７，２８，２９と左舷側綱類通過部材２０における内側端部２７，２８，２９との間の船幅方向の間隔は、第１の内側端部２７における船首側の所定範囲および第３の内側端部２９における船尾側の所定範囲を除いて、伸子棒１４の幅よりも狭く形成されている。このような両綱類通過部材１９，２０における綱類通過部材１９，２０間の船幅方向の間隔が伸子棒１４の幅よりも狭く形成された部位は、綱類通過部材１９，２０の下方を通る海苔網５に対して、海苔網５が上方へ離脱しようとしてもこれを防止する上方からの押さえとして機能させることができる。すなわち、海苔網５が伸子棒１４とともに通過経路から上方に離脱しようとしても、伸子棒１４が綱類通過部材１９，２０に当接することによって離脱を防止することができる。これにより、海苔網５を酸処理槽３に確実に導いて酸処理を安定的に行わせることが可能となる。
【００４６】
このような綱類通過部材１９，２０は、第１摺接部２３と第２摺接部２４との境界部、第２摺接部２４と第３摺接部２５との境界部および第３摺接部２５の船尾側端部からそれぞれ船幅方向の外側に延出された延出部２６ａ，２６ｂ，２６ｃを介して図示しない舷側の側壁部の内側に固定されている。
【００４７】
なお、綱類通過部材１９，２０は、例えば、アルミニウム等の軽量で安価な金属材料に接合等の加工を施すことによって形成してもよい。
【００４８】
さらに、船体上部における操舵室２の上部には、平面上において第１案内部１０および第２案内部１５と同一線上に位置する二本の第３案内部３０が配設されている。これら第３案内部３０の側面形状は、酸処理槽３における船尾側の端部から、船尾側に向かって上方に直線状に傾斜して操舵室２の最上面に至った後に、この操舵室２の最上面に沿って船尾側に向かってほぼ水平な直線状に延在した屈曲形状に形成されている。この第３案内部３０上には、海苔作業船１の自走にともなって、酸処理後の海苔網５が移動するようになっている。そして、第３案内部３０は、酸処理後の海苔網５を下方から保持するとともに、この海苔網５を保持した状態における海苔作業船１の自走にともなって、海苔網５を船尾側へと案内するようになっている。なお、第３案内部３０も、伸子棒１４に直交する平面形状を有しているため、この第３案内部３０への伸子棒１４の引っ掛かりを防止して海苔網５を適正に案内することができるようになっている。
【００４９】
また、船体上部であって両綱類通過部材１９，２０に対して船幅方向における外側の位置には、左舷側側綱案内部３２および右舷側側綱案内部３３がそれぞれ配設されている。両側綱案内部３２，３３の側面形状は、船首側から酸処理槽３における船尾側端部に至るまでは、水平な直線形状に形成され、酸処理槽３における船尾側端部から船尾側に至るまでは、第３案内部３０に対して上部近傍に位置するようにして第３案内部３０に沿った屈曲形状に形成されている。両側綱案内部３２，３３は、酸処理の際に、図４および図５に示す海苔網５に連結された側綱３５を下方から保持するとともに、この側綱３５を保持した状態における海苔作業船１の自走にともなって、側綱３５を船尾側へと案内するようになっている。
【００５０】
なお、側綱３５は、船首側から酸処理槽３における船首側の部位に至るまでは、掬い上げ部材７および第１摺接部２３の上面に保持されて案内されるようになっている。
【００５１】
次に、このような海苔作業船１による酸処理が行われる海苔網５について詳述すると、この海苔網５は、図４および図５に示す設置構造６によって海面に展張されている。この設置構造６は、複数の海苔網５を所定の間隔を設けて並列に配置するようになっており、各海苔網５の間には、複数の支柱３６が、海苔網５の配置方向（図４における横方向）に直交する方向（縦方向）に等間隔を設けるようにして、それぞれ海中に立設されている。各支柱３６のうちの海苔網５の配置方向に直交する方向の両端位置に立設された複数の支柱３６を除いた残余の支柱３６には、吊り綱２１ａ，２１ｂが固定されており、この吊り綱２１ａ，２１ｂに海苔網５が連結されていることによって、海苔網５が支柱３６に吊されるようにして海面に展張されている。各海苔網５には、海苔網５の配置方向に長尺とされたプラスチック等からなる複数の伸子棒１４が、長手方向に直交する方向に所定の間隔を設けて装着されている。各伸子棒１４は、海苔網５の形状の変形を抑制して、海苔網５の展張を安定ならしめている。
【００５２】
本実施形態において、吊り綱２１ａ，２１ｂは、綱類通過部材１９，２０における内側端部２７，２８，２９に摺接しつつ海苔網５を酸処理槽３に貯留された酸処理液中に浸漬させることが可能な長さに形成されている。
【００５３】
さらに、本実施形態において、海苔網５における配置方向に直交する方向（すなわち、酸処理方向）の端部５ａに臨む位置には、側綱３５が、支柱３６に上下動自在に遊嵌された浮動環３９に連結固着されるようにして配設されており、この側綱３５は、海苔網５の端部５ａと連結手段としての連結綱３８を介して連結されている。これにより、海苔網５が、海面における所定位置に安定的に保持されるようになっている。
【００５４】
次に、本実施形態の作用について説明する。
【００５５】
本実施形態において、海苔網５の酸処理を行うには、図６に示すように、設置構造６によって海面に展張された海苔網５に対して、海苔網５の端部５ａに向かって海苔作業船１を自走させる。なお、このとき、海苔作業船１は、掬い上げ部材７の先端部が海中に没した使用状態となっている。
【００５６】
そして、海苔作業船１が海苔網５に到達すると、海苔作業船１の掬い上げ部材７が側綱３５および海苔網５の下方に潜り込み、この状態でさらに海苔作業船１を海苔網５側に自走させると、側綱３５および海苔網５が、掬い上げ部材７によって海面から掬い上げられる。このとき、側綱３５が掬い上げられると、浮動環３９も支柱３６に沿って上昇させられる。
【００５７】
次いで、海苔網５を掬い上げた海苔作業船１をさらに自走させると、側綱３５および海苔網５は、掬い上げ部材７における第１案内部１０によって、下方から保持されつつ船首側から酸処理槽３側へと案内される。
【００５８】
そして、綱類通過部材１９，２０における船首側の端部に到達した側綱３５は、図７に示すように、この綱類通過部材１９，２０の上面に摺接しつつさらに船尾側へと案内される。一方、側綱３５に続いて綱類通過部材１９，２０の手前に到達した海苔網５は、第１案内部１０上から第２案内部１５上へと移行し、この第２案内部１５によって酸処理槽３側へと案内されながら、綱類通過部材１９，２０の下方を通る。なお、側綱３５と海苔網５とは、終始連結綱３８によって連結されている。
【００５９】
次いで、さらに海苔作業船１の自走を続けると、図８に示すように、綱類通過部材１９，２０の下方を通る海苔網５に連結された吊り綱２１ａ，２１ｂが、綱類通過部材１９，２０における第１の内側端部２７に摺接しつつ海苔作業船１上を通過する。このとき、海苔網５に先行する側綱３５は、綱類通過部材１９，２０の上面から側綱案内部３２，３３上へ移行しており、この側綱案内部３２，３３上に保持されつつ船尾側へと案内されている。
【００６０】
次いで、さらに海苔作業船１の自走を続けると、図９、図１０に示すように、海苔網５が、酸処理槽３に貯留された酸処理液中に浸漬される。このとき、酸処理槽３に対して上部近傍に位置する綱類通過部材１９，２０における第１〜第３の内側端部２７，２８，２９間の船幅方向の間隔が、海苔網５の伸子棒１４の幅よりも狭く形成されていることによって、綱類通過部材１９，２０を、海苔網５に対する上方からの押さえとして機能させることができ、海苔網５を酸処理液中に安定的に浸漬させることができる。また、海苔網５に連結された吊り綱２１ａ，２１ｂが十分な長さに形成されていることにより、吊り綱２１ａ，２１ｂのテンションによって海苔網５が上方に引っ張られることはなく、酸処理槽３中において吊り綱２１ａ，２１ｂを弛ませて第１〜第３の内側端部２７，２８，２９に順次摺接させることができる。なお、図１０は、吊り綱２１ａ，２１ｂが綱類通過部材１９，２０における第２の内側端部２８に摺接している状態を示している。これにより、海苔網５をさらに確実に酸処理液中に浸漬させることができ、より安定的な酸処理を施すことができる。
【００６１】
次いで、さらに海苔作業船１の自走を続けると、図１１に示すように、海苔網５に先行する側綱３５は、側綱案内部３２，３３によってさらに船尾側に案内され、海苔網５は、酸処槽３内から第３案内部３０上へと移行し、この第３案内部３０によって船尾側へと案内される。このとき、第３案内部３０によって案内される海苔網５に連結された吊り綱２１ａ，２１ｂは、綱類通過部材１９，２０における第３の内側端部２９に摺接しつつ海苔作業船１上を通過する。
【００６２】
そして、船尾側に案内された海苔網５は、側綱３５に続いて船尾から海面に戻されて海面に再び展張する。
【００６３】
以上述べたように、本実施形態によれば、酸処理の際に、海苔網５に連結された吊り綱２１ａ，２１ｂを、船体に固定された綱類通過部材１９，２０の内側端部２７，２８，２９に摺接させつつ海苔作業船１上を通過させることができるので、簡易かつ安価な構成によって、吊り綱２１ａ，２１ｂをスムーズかつ安定的に通過させることができる。
【００６４】
なお、本発明は、前述した実施の形態に限定されるものではなく、必要に応じて種々の変更が可能である。例えば、本発明を、酸処理以外の海苔の健全育成を促進させる公知の薬剤処理、例えば、電界水、濃塩分水等を用いた処理に適用してもよいことは勿論である。
【００６５】
さらに、前述した実施形態における海苔作業船１は、海苔網５に対する酸処理を行う機構のみを備えているが、本発明は、このような構成に限定されるものではなく、例えば、酸処理槽３に対して船首側の近傍位置に、海苔網５に繁殖した海苔を刈り取る刈り取り機構を設けるようにしてもよい。このような場合であっても、本実施形態における綱類通過装置１７を用いることによって、海苔の刈り取り後における海苔網５の酸処理を行うにあたって、吊り綱２１ａ，２１ｂをスムーズかつ安定的に通過させることができ、酸処理を安定的に行うことができる。
【００６６】
さらにまた、綱類通過部材１９，２０は、前述した内側端部２７，２８，２９を有する板状の部材であってもよい。
【００６７】
また、連結綱３８は、必要に応じて複数本設けるようにしてもよい。
【図面の簡単な説明】
【００６８】
【図１】本発明に係る綱類通過装置、海苔網薬剤処理装置および海苔作業船の実施形態を示す平面図
【図２】図１の右側面図
【図３】図１の背面図
【図４】本発明に係る綱類通過装置、海苔網薬剤処理装置および海苔作業船の実施形態において、酸処理に用いる海苔網およびその設置構造を示す平面図
【図５】図４の斜視図
【図６】本発明に係る綱類通過装置、海苔網薬剤処理装置および海苔作業船の実施形態において、海苔網の掬い上げ開始前の状態を示す図
【図７】本発明に係る綱類通過装置、海苔網薬剤処理装置および海苔作業船の実施形態において、海苔網、吊り綱および側綱による海苔作業船上の通過状態を示す概略斜視図
【図８】本発明に係る綱類通過装置、海苔網薬剤処理装置および海苔作業船の実施形態において、図７の次工程における海苔網、吊り綱および側綱による海苔作業船上の通過状態を示す概略斜視図
【図９】本発明に係る綱類通過装置、海苔網薬剤処理装置および海苔作業船の実施形態において、図８の次工程における海苔網、吊り綱および側綱による海苔作業船上の通過状態を示す概略斜視図
【図１０】本発明に係る綱類通過装置、海苔網薬剤処理装置および海苔作業船の実施形態において、図９と同一の工程における酸処理槽への海苔網の浸漬状態を示す概略横断面図
【図１１】本発明に係る綱類通過装置、海苔網薬剤処理装置および海苔作業船の実施形態において、図９の次工程における海苔網、吊り綱および側綱による海苔作業船上の通過状態を示す斜視図
【符号の説明】
【００６９】
１  海苔作業船
３  酸処理槽
５  海苔網
１４  伸子棒
１７  綱類通過装置
１８  酸処理装置
１９  右舷側綱類通過部材
２０  左舷側綱類通過部材
２１ａ，２１ｂ  吊り綱
２７  第１の内側端部
２８  第２の内側端部
２９  第３の内側端部
３６  支柱
３８  連結綱
【図１】
2008011742.tif 000003
【図２】
2008011742.tif 000004
【図３】
2008011742.tif 000005
【図４】
2008011742.tif 000006
【図５】
2008011742.tif 000007
【図６】
2008011742.tif 000008
【図７】
2008011742.tif 000009
【図８】
2008011742.tif 000010
【図９】
2008011742.tif 000011
【図１０】
2008011742.tif 000012
【図１１】
2008011742.tif 000013